(57)【要約】【課題】  規定回転数に達するまでの起動時間を短縮するとともに、定常回転時の消費電力を低減することができる照明装置及び画像投影手段を提供すること。【解決手段】  照明装置２Ａは、円周上に配置されて照明光を射出する複数のＬＥＤ（光源部）７を有する光源手段８と、ＬＥＤ７が射出した照明光を取り込む入射端１０Ａと、入射端１０Ａから取り込み内面で反射させて伝達した照明光を射出する出射端１０Ｂとを有する導光手段と、ＬＥＤ７が配された円周の中心を通り、かつ、円周を含む面に直交する軸を回動軸Ｃとして導光手段を回動軸Ｃ回りに回動させる駆動手段と、導光手段の少なくとも一部を覆い導光手段の回動に伴って周辺空気から受ける抗力を低減させるロッドカバー（カバー部）１２とを備えている。【選択図】  図２
2006023627.tif 000002
【特許請求の範囲】
【請求項１】
円周上に配置されて照明光を射出する光源部を有する光源手段と、
該光源手段が射出した照明光を取り込む入射端と、該入射端から取り込み内面で反射させて伝達した照明光を射出する出射端とを有する導光手段と、
前記円周の中心を通り、かつ、前記円周を含む面に直交する軸を回動軸として前記導光手段を前記回動軸回りに回動させる駆動手段と、
前記導光手段の少なくとも一部を覆い前記導光手段の回動に伴って周辺空気から受ける抗力を低減させるカバー部とを備えていることを特徴とする照明装置。
【請求項２】
前記カバー部の表面が、前記導光手段の表面よりも前記抗力を低減させる形状とされ、
前記カバー部が、前記導光手段とともに回動することを特徴とする請求項１に記載の照明装置。
【請求項３】
前記導光手段が、前記カバー部に支持されていることを特徴とする請求項２に記載の照明装置。
【請求項４】
前記カバー部が、前記光源手段と接続されていることを特徴とする請求項１に記載の照明装置。
【請求項５】
前記カバー部と前記導光手段とが隙間を有して近接されていることを特徴とする請求項４に記載の照明装置。
【請求項６】
前記導光手段の前記入射端が、前記回動軸に対して互いに回転対称とされる位置に複数配されており、
前記導光手段の前記出射端が、前記回動軸近傍に配されていることを特徴とする請求項１に記載の照明装置。
【請求項７】
前記導光手段の前記入射端が、一つ配されており、
前記回動軸に対して前記入射端と回転対称とされる位置に、前記導光手段のバランスウェイトが配されていることを特徴とする請求項１に記載の照明装置。
【請求項８】
前記駆動手段が、前記導光手段に加速度を与えて規定回転数に達するまで回動させるものとされ、
起動時から前記規定回転数に達するまでの時間で前記カバー部の慣性モーメントによって減少する前記導光手段の加速度を積分して合算した値よりも、
前記抗力の減少によって増加する前記導光手段の加速度を積分して合算した値のほうが大きいことを特徴とする請求項２に記載の照明装置。
【請求項９】
前記カバー部の表面に、複数の凸部、及び、凹部の少なくとも一方が配されていることを特徴とする請求項１に記載の照明装置。
【請求項１０】
入力されるデータに基づいた画像を請求項１に記載の照明装置を用いて投影する画像投影装置であって、
前記導光手段の前記出射端から射出する照明光を、入力されるデータに基づき変調する空間変調手段と、
該空間変調手段によって変調された照明光を投影する投影光学手段とを備えていることを特徴とする画像投影装置。
【発明の詳細な説明】
【技術分野】
【０００１】
本発明は、照明装置及び画像投影装置に関する。
【背景技術】
【０００２】
一般に、プロジェクタ等の画像投影装置における照明装置の光源手段として、放電型のランプが使用されている。しかし、このような照明装置は大掛かりなものとなることから、近年、複数のＬＥＤを中心に向かって円周上に配し、ＮＡ変換のための柱状の導光手段を上記円周内で回転させるとともに、対応するＬＥＤを順次発光させて、導光手段によって集光する照明装置が提案されている（例えば、特許文献１参照。）。
【特許文献１】特開２００４−１０２１３２号公報（第１７図）
【発明の開示】
【発明が解決しようとする課題】
【０００３】
しかしながら、上記従来の照明装置において、導光手段を含む回転部を回転させる際、回転部の周囲に空気流の乱れが生じて回転部の抵抗となってしまい、導光手段が規定回転数に達するまでの時間（起動時間）がかかってしまう。また、定常回転数に達した後も定常回転数を維持するために必要なモータ等の駆動手段の出力が大きくなってしまう問題がある。
本発明は上記事情に鑑みて成されたものであり、規定回転数に達するまでの起動時間を短縮するとともに、定常回転時の消費電力を低減することができる照明装置及び画像投影手段を提供することを目的とする。
【課題を解決するための手段】
【０００４】
本発明は、上記課題を解決するため、以下の手段を採用する。
本発明に係る照明装置は、円周上に配置されて照明光を射出する光源部を有する光源手段と、該光源手段が射出した照明光を取り込む入射端と、該入射端から取り込み内面で反射させて伝達した照明光を射出する出射端とを有する導光手段と、前記円周の中心を通り、かつ、前記円周を含む面に直交する軸を回動軸として前記導光手段を前記回動軸回りに回動させる駆動手段と、前記導光手段の少なくとも一部を覆い前記導光手段の回動に伴って周辺空気から受ける抗力を低減させるカバー部とを備えていることを特徴とする。
【０００５】
この照明装置は、導光手段を回動させた際に、周辺空気との間で回動に伴って生じる抗力をカバー部によって低減させることができ、従来と同じ回動駆動力であっても導光手段を容易に回動させることができる。
【０００６】
また、本発明に係る照明装置は、前記照明装置であって、前記カバー部の表面が、前記導光手段の表面よりも前記抗力を低減させる形状とされ、前記カバー部が、前記導光手段とともに回動することを特徴とする。
この照明装置は、カバー部を導光手段とともに回動させることによって、導光手段が受ける抗力を低減させることができ、導光手段単独で回動させる場合よりも少ない力で導光手段を回動させることができる。
【０００７】
また、本発明に係る照明装置は、前記照明装置であって、前記導光手段が、前記カバー部に支持されていることを特徴とする。
この照明装置は、カバー部を回動することによって導光手段を回動させることができる。したがって、導光手段を駆動手段に支持する部材を配する必要がなく、その分、回動部分の慣性モーメントを低減させることができる。
【０００８】
また、本発明に係る照明装置は、前記照明装置であって、前記カバー部が、前記光源手段と接続されていることを特徴とする。
この照明装置は、カバー部は回動しないので、回動に係る慣性モーメントを導光手段のみの大きさとすることができ、導光手段をより容易に回動させることができる。
【０００９】
また、本発明に係る照明装置は、前記照明装置であって、前記カバー部と前記導光手段とが隙間を有して近接されていることを特徴とする。
この照明装置は、カバー部と導光手段との隙間の空気を導光手段の回動とともに回動させることができ、導光手段の回動に伴う周辺空気の剥離を抑えて空気抵抗を小さくすることができる。
【００１０】
また、本発明に係る照明装置は、前記照明装置であって、前記導光手段の前記入射端が、前記回動軸に対して互いに回転対称とされる位置に複数配されており、前記導光手段の前記出射端が、前記回動軸近傍に配されていることを特徴とする。
【００１１】
この照明装置は、導光手段を回動させることによって、円周上に配された光源手段から複数の入射端にそれぞれ照明光を入射させることができ、出射端に照明光を集光して出射させることができる。また、入射端が回転対称に配されているので、導光手段を安定して回動させることができる。
【００１２】
また、本発明に係る照明装置は、前記照明装置であって、前記導光手段の前記入射端が、一つ配されており、前記回動軸に対して前記入射端と回転対称とされる位置に、前記導光手段のバランスウェイトが配されていることを特徴とする。
この照明装置は、入射端が一つであっても、バランスウェイトが配されているので、導光手段を安定して回動させることができる。
【００１３】
また、本発明に係る照明装置は、前記照明装置であって、前記駆動手段が、前記導光手段に加速度を与えて規定回転数に達するまで回動させるものとされ、起動時から前記規定回転数に達するまでの時間で前記カバー部の慣性モーメントによって減少する前記導光手段の加速度を積分して合算した値よりも、前記抗力の減少によって増加する前記導光手段の加速度を積分して合算した値のほうが大きいことを特徴とする。
【００１４】
この照明装置は、カバー部と導光手段とを回動させる際、カバー部によって回動部分の慣性モーメントが増加し、回動の角加速度が低下しても、それ以上に回動に伴って生じる抗力に係るモーメントを低減させることができ、導光手段が規定回動数に達するまでの時間を、カバー部がない場合の時間よりも短縮することができる。
【００１５】
また、本発明に係る照明装置は、前記照明装置であって、前記カバー部の表面に、複数の凸部、及び、凹部の少なくとも一方が配されていることを特徴とする。
この照明装置は、カバー部が回動する際に、複数の凸部、及び、凹部の少なくとも一方がヴォルテックスジェネレータとしてカバー部表面の境界層に微小な渦を発生させることができる。したがって、カバー部表面の剥離を抑えて空気の流れをスムーズにし、抗力を低減させることができる。
【００１６】
本発明に係る画像投影装置は、入力されるデータに基づいた画像を請求項１に記載の照明装置を用いて投影する画像投影装置であって、前記導光手段の前記出射端から射出する照明光を、入力されるデータに基づき変調する空間変調手段と、該空間変調手段によって変調された照明光を投影する投影光学手段とを備えていることを特徴とする。
【００１７】
この画像投影装置は、本発明に係る照明装置を備えているので、画像投影装置の立ち上げから使用可能状態までの起動時間を短縮することができる。また、駆動手段の定常運転時における消費エネルギーを削減することができ、装置全体の省エネルギーを実現することができる。
【発明の効果】
【００１８】
本発明によれば、導光手段の規定回動数の達成時間を従来よりも短縮することができる。また、導光手段を回動させるために必要な駆動手段のエネルギーを低減することができる。
【発明を実施するための最良の形態】
【００１９】
本発明に係る第１の実施形態について、図１から図５を参照して説明する。
本実施形態に係るプロジェクタ（画像投影装置）１は、パソコン等から入力される映像信号等のデータに基づいて画像を投影する画像投影装置であって、図１に示すように、赤、青、緑の３色の照明光をそれぞれ発する照明装置２Ａ、２Ｂ、２Ｃと、照明装置２Ａ、２Ｂ、２Ｃから射出する照明光を、入力されたデータに基づいてそれぞれ変調する空間変調手段３Ａ、３Ｂ，３Ｃと、各空間変調手段３Ａ、３Ｂ，３Ｃで変調された照明光を投影する投影レンズ（投影光学手段）５と、これらを制御する総合制御回路６とを備えている。なお、各照明装置２Ａ、２Ｂ、２Ｃ、各空間変調手段３Ａ、３Ｂ、３Ｃの構成は、それぞれ互いに同様とされているので、以下、照明装置２Ａ、空間変調手段３Ａについて説明する。
【００２０】
照明装置２Ａは、図２及び図３に示すように、円周上に配置されて照明光を射出する複数のＬＥＤ（光源部）７を有する光源手段８と、ＬＥＤ７が射出した照明光を取り込む入射端１０Ａと、入射端１０Ａから取り込み内面で反射させて伝達した照明光を射出する出射端１０Ｂとを有する導光手段１０と、ＬＥＤ７が配された円周の中心を通り、かつ、円周を含む面に直交する軸を回動軸Ｃとして導光手段１０を回動軸Ｃ回りに回動させる駆動手段１１と、導光手段１０の少なくとも一部を覆い導光手段１０の回動に伴って周辺空気から受ける抗力を低減させるロッドカバー（カバー部）１２とを備えている。
【００２１】
光源手段８は、円環状に形成されてベース１３上に接続されたホルダー部１５を備えており、複数のＬＥＤ７は、出射面側がホルダー部１５の中心部に向くようにホルダー部１５の内周面に配されている。
導光手段１０は、ＬＥＤ７と対向して入射端１０Ａが配され、回動軸Ｃに対して互いに回転対称とされる位置に配された角柱状に形成された２つの水平ロッド１６と、回動軸Ｃに沿って立設され、入射端１０Ａから取り込んだ照明光を内面で全反射させる反射面１７Ａと上述の出射端１０Ｂとを有して角柱状に形成された垂直ロッド１７と、水平ロッド１６に接続され、入射端１０Ａから入射した照明光の方向を垂直ロッド１７側に変化させる折り曲げプリズム１８とを備えている。
【００２２】
駆動手段１１は、導光手段１０とロッドカバー１２とを支持するロッドホルダー２０と、ロッドホルダー２０を介して導光手段１０を回動させる回転モータ２１と、回転モータ２１の回転を制御するモータ回転制御回路２２とを備えている。
ロッドカバー１２は、垂直ロッド１７の出射端１０Ｂ用の開口部２３Ａを有して出射端１０Ｂ以外の垂直ロッド１７全体を覆う第１のカバー２３と、水平ロッド１６の入射端１０Ａ用の開口部２５Ａを有して折り曲げプリズム１８と入射端１０Ａ以外の水平ロッド１６全体を覆う第２のカバー２５とを備えている。
【００２３】
第１のカバー２３は回動軸Ｃに沿って第２のカバー２５に接続されており、第２のカバー２５は、ロッドホルダー２０に接続されて導光手段１０とともに回動可能とされている。各カバー２３、２５は、それぞれ円筒状に形成され、導光手段１０の角柱状の表面よりも抗力を低減させる形状とされている。また、ロッドカバー１２の慣性モーメントの大きさは、ロッドカバー１２が低減させる導光手段１０の抗力に係るモーメントよりも小さくなるように形成されている。各開口部２３Ａ、２５Ａは、入射端１０Ａ、出射端１０Ｂに触れないようにそれぞれわずかに大きく構成されている。
【００２４】
空間変調手段３Ａは、ＬＣＤパネル２６を備えており、画像変調信号を出力する画像表示制御回路２７に接続されている。
総合制御回路６は、モータ回転制御回路２２との間で回転モータ２１の回転数情報の入出力を行うとともに、回転モータ２１の回転に同期させてＬＥＤ７にＬＥＤ点灯信号を出力している。
【００２５】
次に、本実施形態に係るプロジェクタ１及び照明装置２Ａの操作方法、作用・効果について説明する。
まず、回転モータ２１を駆動してロッドホルダー２０を回転し、導光手段１０とロッドカバー１２とをともに回転させる（以降、導光手段１０とロッドカバー１２とを回転部と称する。）。
【００２６】
ここで、ロッドカバー１２のない導光手段１０のみの慣性モーメントをＭ、本実施形態に係るロッドカバー１２によって追加された回転部全体の慣性モーメントをｍ１、ｍ１よりも大きい慣性モーメントを有するロッドカバーの慣性モーメントをｍ２、回転モータ２１の起動トルクをＴ、回転部の規定回転数をωｃとして、ロッドカバー１２がない従来の場合と、ロッドカバー１２を装着した本実施形態に係る場合と、それよりも大きい慣性モーメントを有するロッドカバーを装着した場合とで、回転モータ２１の回転数がωｃに達するまでの時間（起動時間）を比較しながら、本実施形態に係る照明装置２Ａの作用について説明する。
【００２７】
ロッドカバー１２がない場合、回転開始初期はＴ／Ｍの傾きで回転数が上昇していく。しかし、回転数が増加するにつれて周辺空気からの抗力も増加するため、回転数の増加率が減少していく。そして、回転部に作用する空気抵抗が大きいためにωｃに達することなく定常回転状態となる。（図４におけるＡ）。
ロッドカバー１２が無く、空気抵抗がＡの場合よりも小さい場合には、ωｃに達することができるが、空気抵抗により時間が掛かり、起動よりｔ２後にωｃに達する。（図４におけるＢ）。
【００２８】
一方、慣性モーメントｍ１の本実施形態に係るロッドカバー１２をつけた場合、回転開始初期では、Ｔ／（Ｍ＋ｍ１）の傾きで回転数が増加していく。ただし、慣性モーメントがロッドカバー１２がない場合よりもｍ１だけ増加していることから、回転数の増加率は従来よりも低い。しかし、回転数が高くなるにつれ、ロッドカバー１２がない場合よりも周辺空気による効力が小さいので、回転数増加率の変化が少ない。したがって、慣性モーメントの増加にもかかわらず規定回転数に達する時間ｔ１は、ロッドカバー１２がない場合の時間（ｔ２）よりも短い。(図４におけるＣ)。
【００２９】
ただし、ロッドカバーの慣性モーメントが一定以上(例えばｍ２)の場合には、ロッドカバーによる抗力の減少よりも慣性モーメントの増加による影響が大きくなってしまい、ωｃに達するまでの時間ｔ３はロッドカバー１２がない場合よりも長くなる。（図４におけるＤ）。
【００３０】
また、回転モータ２１の駆動に要する定常回転状態でのモータ消費電流値は、一旦、最大電流値（Ｉｍａｘ）に達した後、定常回転を維持する電流値まで低下する。本実施形態に係るロッドカバー１２を装着した場合、時間ｔ１経過後に、電流値はＩ１まで低下する（図５におけるＣ）。一方、ロッドカバー１２を装着しない場合、時間ｔ２後の電流値はＩ２までしか低下しない（図５におけるＢ）。なお、慣性モーメントがｍ２のロッドカバーを装着した場合には、時間ｔ３後の電流値は、本実施形態の場合と同じＩ１まで低下する（図５におけるＤ）。
【００３１】
こうして、回転部が定常回転となった後、例えば、ロッドホルダー２０の回転量をモニタして、モニタされた回転信号をモータ回転制御回路２２に伝達し、さらに、総合制御回路６においてＬＥＤ７の発光タイミングを制御し、水平ロッド１６の入射端１０Ａと対向するＬＥＤ７のみをパルス発光させる。そして、導光手段１０の回転にあわせて、ホルダー部１５に配設されたＬＥＤ７を順次連続発光することで、すべてのＬＥＤ７を連続点灯させなくても垂直ロッド１７の出射端１０Ｂから実効的に高輝度の光を連続して取り出す。
【００３２】
またＬＥＤ７の光量ばらつきなどを生じた場合、モニタされた信号を基に光量が最適になるようにＬＥＤ７の駆動電流をフィードバック制御して均一な照明光を取り出す。モータ回転制御回路２２は、回転モータ２１の回転数が一定回転数を維持するように制御する。
【００３３】
こうして得られた高輝度かつ平行性の高い照明光をＬＣＤパネル２６に供給する。
そして、上述と同様の方法にて、他の照明装置２Ｂ、２Ｃ、及び、空間変調手段３Ｂ、３Ｃについても操作することによって、赤、青、緑の各色が調整されて出力された画像を投影レンズ５によって図示しないスクリーンや白壁に拡大投影する。
【００３４】
この照明装置２Ａによれば、導光手段１０を回動させた際に、ロッドカバー１２を導光手段１０とともに回動させることによって、周辺空気との間で回動に伴って生じる効力をロッドカバー１２によって低減させることができる。したがって、従来と同じ回動駆動力であっても導光手段１０単独で回動させる場合より少ない力で導光手段１０を回動させることができる。
【００３５】
また、ロッドカバー１２と導光手段１０とを回動させる際、ロッドカバー１２の慣性モーメントが増加しても、それ以上に抗力に係るモーメントを低減させることができ、導光手段１０が規定回動数に達するまでの時間を、ロッドカバー１２がない場合の時間よりも短縮することができる。さらに、規定回転数に達したときの回転モータ２１に要する駆動電流値を小さくすることができる。
【００３６】
そして、本実施形態に係るプロジェクタ１によれば、照明装置２Ａを備えているので、プロジェクタ１の立ち上げから使用可能状態までの起動時間を短縮することができる。また、定常運転時の消費エネルギーを削減することができ、プロジェクタ１全体の省エネルギーを実現することができる。
【００３７】
次に、第２の実施形態について図６を参照しながら説明する。
なお、上述した第１の実施形態と同様の構成要素には同一符号を付すとともに説明を省略する。
第２の実施形態と第１の実施形態との異なる点は、本実施形態に係るプロジェクタ３０の照明装置３１Ａ、３１Ｂ、３１Ｃに係るロッドカバー３２が、回転周速が高い水平ロッド１６を覆う第２のカバー３３のみを備えているとした点である。
【００３８】
回動軸Ｃからの回転半径が小さい垂直ロッド１７は、回転時の周速が比較的小さい。これに対して、水平ロッド１６は回転半径方向に延びているため、入射端１０Ａにおける回転時の周速が大きい。そのため、水平ロッド１６に作用する抗力が垂直ロッド１７に作用する抗力よりも大きいものとなる。
【００３９】
そこで、本実施形態に係る照明装置３１Ａ、３１Ｂ、３１Ｃによれば、ロッドカバー３２を第２カバー３３のみとすることによって、第１のカバー２３に係る慣性モーメントを減らしてロッドカバー３２の慣性モーメントの増加を抑えながら、上記第１の実施形態と同様の作用によって、導光手段１０の回転時の抗力を効率よく抑えることができる。
【００４０】
次に、第３の実施形態について図７及び図８を参照しながら説明する。
なお、上述した他の実施形態と同様の構成要素には同一符号を付すとともに説明を省略する。
第３の実施形態と第２の実施形態との異なる点は、本実施形態に係るプロジェクタ４０の照明装置４１Ａ、４１Ｂ、４１Ｃに係る導光手段４２が、一つの水平ロッド１６と折り曲げプリズム４３とを備え、出射端１０Ｂが折り曲げプリズム４３に配されているとした点である。
【００４１】
第２カバー４５には、出射端１０Ｂ用の開口部４５Ａが配されている。また、ロッドホルダー４６には、回動軸Ｃに対して入射端１０Ａと回転対称とされる位置に、導光手段４２のバランスウェイト４７が配されている。
【００４２】
この照明装置４１Ａ、４１Ｂ、４１Ｃによれば、垂直ロッド１７がなく入射端１０Ａが一つだけの導光手段４２であっても、バランスウェイト４７を配することによって、導光手段４２を安定して回動させることができる。そして、第２の実施形態と同様の作用・効果を得ることができる。
【００４３】
次に、第４の実施形態について図９を参照しながら説明する。
なお、上述した他の実施形態と同様の構成要素には同一符号を付すとともに説明を省略する。
第４の実施形態と第１の実施形態との異なる点は、本実施形態に係るプロジェクタ５０の照明装置５１Ａ、５１Ｂ、５１Ｃに係る導光手段１０が、ロッドカバー５２のみに支持されているとした点である。
【００４４】
第１のカバー５３の出射端１０Ｂ用の開口部５３Ａには、垂直ロッド１７の出射端１０Ｂ近傍の反射面に当接して垂直ロッド１７を支持するテーパロッド支持部５３Ｂが配されている。
また、第２のカバー５５の入射端１０Ａ用の開口部５５Ａには、水平ロッド１６の入射端１０Ａ近傍の側面に当接して水平ロッド１６を支持する平行ロッド支持部５５Ｂが配されている。さらに、ロッドホルダー５６は円盤状に形成されており、第２のカバー５５と嵌合されている。これによって、ロッドカバー５２を回転した際に導光手段１０を回転することができる。
【００４５】
この照明装置５１Ａ、５１Ｂ、５１Ｃによれば、ロッドホルダー５６が導光手段１０を支持する必要がなく、また、ロッドカバーの各開口部５３Ａ、５５Ａの形状を大幅に変更することなく導光手段１０を支持でき、ロッドホルダー５６を軽量化して回転に係る慣性モーメントを第１の実施形態の場合よりも低減することができる。
【００４６】
次に、第５の実施形態について図１０を参照しながら説明する。
なお、上述した他の実施形態と同様の構成要素には同一符号を付すとともに説明を省略する。
第５の実施形態と第４の実施形態との異なる点は、本実施形態に係るプロジェクタ６０の照明装置６１Ａ、６１Ｂ、６１Ｃに係るロッドカバー６２が、駆動手段１１とではなく光源手段８と接続されて固定されており、ロッドカバー６２と導光手段１０とが隙間を有して近接されているとした点である。
【００４７】
第１のカバー６５に係る出射端１０Ｂ側の端面のほとんどが開口部６５Ａとされており、カバー全体の内径は、垂直ロッド１７の出射端１０Ｂに外接する仮想円径と略同一の大きさとされている。
第２のカバー６６は、水平ロッド１６の側面と僅かな隙間を有してこれと近接されており、カバー内径は、ホルダー部１５と嵌合可能な大きさとされている。
【００４８】
この照明装置６１Ａ、６１Ｂ、６１Ｃによれば、導光手段１０は回動してもロッドカバー６２が回動しないので、回動に係る慣性モーメントを導光手段１０のみの大きさとすることができ、導光手段１０をより容易に回動させることができる。
また、ロッドカバー６２と導光手段１０との隙間が僅かな大きさなので、隙間内の空気を導光手段１０の回動とともに回動させることができる。したがって、導光手段１０が回動しても導光手段１０の表面からの周辺空気の剥離を抑えることができ、回動時の抗力を小さくすることができる。
【００４９】
次に、第６の実施形態について図１１を参照しながら説明する。
なお、上述した他の実施形態と同様の構成要素には同一符号を付すとともに説明を省略する。
第６の実施形態と第３の実施形態との異なる点は、本実施形態に係るプロジェクタ７０の照明装置７１Ａ、７１Ｂ、７１Ｃに係るロッドカバー７２の第２のカバー７３における円筒面側表面に、複数の凸部７５が配されているとした点である。
【００５０】
この第２のカバー７３が回転した場合、複数の凸部７５を所定の大きさと高さとにすることによって、第２のカバー７３が境界層の剥離を抑えるヴォルテックスジェネレータとして作用する。したがって、第２のカバー７３の回転速度に合わせて第２のカバー７３表面に所望の大きさの渦が所望の間隔で発生する。
この照明装置７１Ａ、７１Ｂ、７１Ｃによれば、ロッドカバー７２表面の剥離を抑えて空気の流れをスムーズにし、抗力を低減させることができる。
【００５１】
なお、本発明の技術範囲は上記実施の形態に限定されるものではなく、本発明の趣旨を逸脱しない範囲において種々の変更を加えることが可能である。
例えば、第６の実施形態では、凸部７５は第２カバー７３の円筒面に形成させているが、開口部側の側面、及び、他の実施形態におけるロッドカバーが備える第１のカバーの表面と第２のカバーの表面との双方に形成させても構わない。
また、凸部ではなく、凹部であってもヴォルテックスジェネレータとしての作用を奏することができ、さらに、凸部と凹部との両方を形成させても構わない。
【図面の簡単な説明】
【００５２】
【図１】本発明の第１の実施形態に係るプロジェクタのシステム構成を示す概要図である。
【図２】本発明の第１の実施形態に係る照明装置を示す斜視図である。
【図３】本発明の第１の実施形態に係る照明装置の構成を示す分解図である。
【図４】本発明の第１の実施形態に係る照明装置の規定回転数とそれに達する時間との関係を従来の場合と比較した状態を示すグラフである。
【図５】本発明の第１の実施形態に係る照明装置の回転モータに要する電流値の変化と定常状態に達する時間との関係を従来の場合と比較した状態を示すグラフである。
【図６】本発明の第２の実施形態に係る照明装置を示す斜視図である。
【図７】本発明の第３の実施形態に係る照明装置を示す斜視図である。
【図８】本発明の第３の実施形態に係る照明装置の構成を示す分解図である。
【図９】本発明の第４の実施形態に係る照明装置の構成を示す断面図である。
【図１０】本発明の第５の実施形態に係る照明装置の構成を示す断面図である。
【図１１】本発明の第６の実施形態に係る照明装置を示す斜視図である。
【符号の説明】
【００５３】
１、３０、４０、５０、６０、７０  プロジェクタ（画像投影装置）
２Ａ、２Ｂ、２Ｃ、３１Ａ、３１Ｂ、３１Ｃ、４１Ａ、４１Ｂ、４１Ｃ、５１Ａ、５１Ｂ、５１Ｃ、６１Ａ、６１Ｂ、６１Ｃ、７１Ａ、７１Ｂ、７１Ｃ  照明装置
３Ａ、３Ｂ、３Ｃ  空間変調手段
５  投影レンズ（投影光学手段）
７  ＬＥＤ（光源部）
８  光源手段
１０、４２  導光手段
１０Ａ  入射端
１０Ｂ  出射端
１１  駆動手段
１２、３２、５２、６２、７２  ロッドカバー（カバー部）
４７  バランスウェイト
７５  凸部
【図１】
2006023627.tif 000003
【図２】
2006023627.tif 000004
【図３】
2006023627.tif 000005
【図４】
2006023627.tif 000006
【図５】
2006023627.tif 000007
【図６】
2006023627.tif 000008
【図７】
2006023627.tif 000009
【図８】
2006023627.tif 000010
【図９】
2006023627.tif 000011
【図１０】
2006023627.tif 000012
【図１１】
2006023627.tif 000013